(57)【要約】【課題】支軸体を介したテンプルの取付の利点を活かしながら取り外しの治具を用いることなくヨロイからのテンプルの着脱を可能にして、メガネフレームのバリエーションを多くし、使用者の好みに応じたデザインとすることができるメガネを提供する。【解決手段】テンプル７の先端部６の支軸体取付孔８の支軸体嵌め入れ側の端部でかつ先端部６のテンプル内面側にして、支軸体取付孔方向に沿う切り欠き状のガイド溝１４を設け、支軸体取付孔８に嵌め入れた支軸体９の操作凸部１３がガイド溝１４に移動可能に位置してこのガイド溝１４から突出し、フロントフレームに対するテンプル７の開時に操作凸部１３がメガネ中心側に向くようにした。【選択図】図２
2007212784.tif 000002
【特許請求の範囲】
【請求項１】
メガネのフロントフレームの左右両側に断面略コ字状にして上下の横板部それぞれにピン係止孔が開口されたヨロイが位置して、該ヨロイの上下の横板部の間にテンプルの先端部が配置され、前記テンプルの先端部に支軸体取付孔が貫通していて、支軸体長手方向の両端に突没可能な可動ピンと支軸体長手方向に直交する方向に突出して支軸体長手方向に沿った引き操作により一方の可動ピンを没しさせる操作凸部とを備える支軸体が前記支軸体取付孔に嵌め入れられ、前記可動ピンがピン係止孔に係止してヨロイにテンプルが回動可能に取り付けられ、前記操作凸部を引き操作してなる可動ピンのピン係止孔からの外しによりヨロイからテンプルが取り外し可能とされているメガネのテンプル取付構造であって、
前記支軸体取付孔の支軸体嵌め入れ側の端部でかつ先端部のテンプル内面側にして、支軸体取付孔の貫通方向に沿う切り欠き状のガイド溝が設けられて、該ガイド溝に操作凸部が移動可能に位置して操作凸部がこのガイド溝から突出し、フロントフレームに対するテンプルの開時に前記操作凸部をメガネ中心側に向く構成としたことを特徴とするメガネのテンプル取付構造。
【請求項２】
上記可動ピンを通る支軸体中心から操作凸部の先端までの寸法が、上記ヨロイの上下の横板部のピン係止孔を通る中心からヨロイの縦板部までの寸法より大きい請求項１に記載のメガネのテンプル取付構造。
【発明の詳細な説明】
【技術分野】
【０００１】
本発明はメガネのテンプル取付構造に関するものである。
【背景技術】
【０００２】
従来、メガネのフロントフレームの左右両端に位置するヨロイに対してテンプルを取り付けるにあたり、前記ヨロイを断面略コ字状にして上下の横板部にピン係止孔を設け、一方、両端に突没可能なピンを有した支軸体をテンプルの先端部に設け、そのテンプルの先端部を前記ヨロイに配して支軸体のピンそれぞれを前記ピン係止孔に係止させることで、支軸体を中心として回動可能にしてテンプルをヨロイに取り付けるようにした構造が提案されている（特許文献１参照）
【特許文献１】登録実用新案第３０１１１７７号公報
【発明の開示】
【発明が解決しようとする課題】
【０００３】
上記構造における支軸体はピンそれぞれがスプリングによって支軸体の長手方向である突出方向に付勢されているものであり、テンプルをヨロイに取り付けるに際し、一方のピンを一つのピン係止孔に差し入れた状態でそのピン係止孔側に支軸体全体を押し付けて、他方のピンをもう一つのピン係止孔にあてがい、支軸体の押し付けを解くことで他方のピンがもう一つのピン係止孔に差し入れられるようになる。
ところで、メガネのバリエーションを多くしたり、メガネ着用環境などに応じたデザインを得やすくするために、フロントフレームとテンプルとの組み合わせを、特にメガネ利用者側で任意に選択できるようにすることが有効である。そのため、上述の構造を利用してテンプルの交換を可能とすることが考えられている。
【０００４】
しかしながら、上記構造では小さな形状のピンが小さなピン係止孔に嵌まる形態となるから、テンプルの取り外しに際してヨロイの横板部の外面側からピン係止孔位置に見えるピンの突端を押し下げる治具が必要となり、テンプルの着脱を簡単にする手段としては利用できない。
このようなことから本発明者にあっては先に、上記支軸体のピンを没しさせる操作凸部を支軸体長手方向に直交するように突出させ、そして、この支軸体をテンプルの先端に設けて、ピンを直接押し込む操作ではなく操作凸部の操作によってピンを没しさせてピンとヨロイ側のピン係止孔との係脱ができるようにした構造を提案した。
本発明は上記構造をさらに良好なものとするものであり、上記支軸体を介したテンプルの取付の利点を活かしながら取り外しの治具を用いることなくヨロイからのテンプルの取り外しが行えるようにすることを課題とし、テンプルの着脱を可能にしてメガネフレームのバリエーションを多くし、使用者の好みに応じたデザインとすることができるメガネを提供することを目的とする。
【課題を解決するための手段】
【０００５】
本発明は上記課題を考慮してなされたもので、メガネのフロントフレームの左右両側に断面略コ字状にして上下の横板部それぞれにピン係止孔が開口されたヨロイが位置して、該ヨロイの上下の横板部の間にテンプルの先端部が配置され、前記テンプルの先端部に支軸体取付孔が貫通していて、支軸体長手方向の両端に突没可能な可動ピンと支軸体長手方向に直交する方向に突出して支軸体長手方向に沿った引き操作により一方の可動ピンを没しさせる操作凸部とを備える支軸体が前記支軸体取付孔に嵌め入れられ、前記可動ピンがピン係止孔に係止してヨロイにテンプルが回動可能に取り付けられ、前記操作凸部を引き操作してなる可動ピンのピン係止孔からの外しによりヨロイからテンプルが取り外し可能とされているメガネのテンプル取付構造であって、前記支軸体取付孔の支軸体嵌め入れ側の端部でかつ先端部のテンプル内面側にして、支軸体取付孔の貫通方向に沿う切り欠き状のガイド溝が設けられて、該ガイド溝に操作凸部が移動可能に位置して操作凸部がこのガイド溝から突出し、フロントフレームに対するテンプルの開時に前記操作凸部をメガネ中心側に向く構成としたことを特徴とするメガネのテンプル取付構造を提供して、上記課題を解消するものである。
そして、本発明では、上記可動ピンを通る支軸体中心から操作凸部の先端までの寸法が、上記ヨロイの上下の横板部のピン係止孔を通る中心からヨロイの縦板部までの寸法より大きくすることが良好である。
【発明の効果】
【０００６】
本発明においては、操作凸部を可動ピンが没する方向に引くことで簡単にテンプルをヨロイから外すことができ、テンプルの着脱が容易になる。そのため、テンプル本体の形状や色、素材に変化を持たせた多数のテンプルを用意しておけば、メガネのバリエーションが多くなるとともに、使用者がテンプルを交換することでデザインを変更することができるようになる。そして、テンプルを取り外すときにそのテンプルをメガネ着用時のように開けば、操作凸部が引き操作のし易いメガネ中心側に位置するようになり、その操作凸部に爪を掛けて操作することで簡単にテンプルの取り外しが行える。よって、操作凸部を爪先が引っ掛る程度の大きさでよく、操作凸部が目立つことによるデザインの崩れを無くすことができる。
また、テンプルの先端部では、可動ピンを没しさせる操作をする操作凸部がガイド溝に位置し、そのガイド溝が支軸体取付孔の支軸体嵌め入れ側の端部でかつ先端部のテンプル内面側にあるため、操作凸部をそのガイド溝に対応するようにしながら支軸体取付孔に支軸体の嵌め入れさえすれば、その操作凸部が簡単にテンプル内面側において突出した状態とすることができる。よって、テンプルの先端部に支軸体を設ける作業が頗る簡単なものとなる。
【０００７】
また、可動ピンを通る支軸体中心から操作凸部の先端までの寸法を、ヨロイの上下の横板部のピン係止孔を通る中心からヨロイの縦板部までの寸法より大きくすることで、仮に左右のテンプルを逆にしてテンプルの内面側とヨロイの縦板部とを面しさせながら取り付けようとしても、操作凸部が縦板部に当ることとなり、誤って左右のテンプルを逆にしてヨロイに取り付けられる間違いを未然に防止できる。
【発明を実施するための最良の形態】
【０００８】
つぎに本発明を図１から図８に示す実施の形態に基づいて詳細に説明する。
図中１はメガネで、該メガネ１のフロントフレーム２の左右両端にあるヨロイ３をそれぞれ上下の横板部４と縦板部５とで断面略コ字状とし、上下の横板部４の間に先端部６が位置するようにしてテンプル７がそのヨロイ３に取り付けられているものである。
上記テンプル７の前記先端部６はメガネ高さ方向（ヨロイ３の横板部４の対向方向）に支軸体取付孔８が貫通していて、その支軸体取付孔８に支軸体９が嵌め入れられている。前記支軸体９にあっては、支軸体長手方向の一端（図上、支軸体９の上端）に一方の可動ピン１０が位置し、他端（図上、支軸体９の下端）にも他方の可動ピン１１を備え、図示しないスプリングによって両可動ピン１０、１１を突没可能にした状態で常時外方に向けて突出させ、可動ピン１０、１１を押し込むことで支軸体９の長さが上記横板部４の上下対向間隔より短くなるようにしている。そして、前記支軸体取付孔８に一方側（後述するガイド溝が位置する端部側）から支軸体９が嵌め入れられて固定された状態で可動ピン１０、１１が先端部６の上下面から突出し、これらが横板部４に開口したピン係止孔１２に係止しており、支軸体９を中心としてテンプル７が回動可能にしてヨロイ３に連結されている。
【０００９】
さらに上記支軸体９は、この支軸体９の長手方向中心側に向けて引く操作をすることで一方の可動ピン１０を没しさせる操作凸部１３を有していて、図２に示されているようにこの操作凸部１３が支軸体９の胴部において支軸体長手方向に直交した方向（上記横板部４の対向方向に直交した方向）に突出するように設けられている。
また、支軸体９が配されたテンプル７の先端部６にあっては、支軸体取付孔８の支軸体嵌め入れ側の端部であって先端部６のテンプル内面側（左右のテンプルが対向する面側）にして切り欠き状のガイド溝１４が設けられており、このガイド溝１４は支持体嵌め入れ側の端部から支軸体取付孔の貫通方向に沿って前記操作凸部１３の引き操作（可動ピン１０を没しさせるための移動操作）を損なわない長さとしている。そして、支軸体取付孔８への支軸体９の取付に際して前記支軸体嵌め入れ側の端部から支軸体９が嵌め入れられ、その嵌め入れに際して前記ガイド溝１４に操作凸部１３が対応するようにして行なわれる。これによって、前記ガイド溝１４に操作凸部１３が移動可能に位置している。なお、操作時に爪が引っ掛るように操作凸部１３がこのガイド溝１４から突出している。
【００１０】
上記構造としたことにより、テンプル７の先端部６が位置している可動ピン１０、１１がそれぞれピン係止孔１２に係止しているときに、上記操作凸部１３を可動ピン１１側に移動すれば、可動ピン１０が没してその可動ピン１０とピン係止孔１２との係止が解除され、先端部６を横板部４の間からずらすことでテンプル７をヨロイ３から外すことができる。
テンプル７のヨロイ３への取付に際しては上述した手順の逆を行なえばよく、先端部６を横板部４の間に位置するようにして、まず可動ピン１１を対応するピン係止孔１２に入れ、その後、操作凸部１３を可動ピン１１側に移動させる引き操作をして可動ピン１０を没しさせ、この可動ピン１０をもう一つのピン係止孔１２に対応させてから操作凸部１３を引く力を抜くようにすれば可動ピン１０が突出し、その可動ピン１０と可動ピン１１とがそれぞれピン係止孔１２に係止した状態となり、ヨロイ３にテンプル７が取り付けられる。
【００１１】
上記テンプル７の先端部６におけるガイド溝１４は、テンプル長さ方向に略直交し、かつ先端部６のテンプル内面側に位置しており、メガネを着用するときのようにテンプル７を開いたときに前記操作凸部１３がメガネ中心側に向くように設けられている。これによって、例えばフロントフレームに折り重ねられていたテンプル７をそのフロントフレーム背部から離れるように回動させて開けば操作凸部１３が目視できる位置に現れ、爪を掛けやすくなるようにしている。
【００１２】
さらに本実施の形態においては操作凸部１３を利用して左右のテンプル７を逆にして取付けられる間違いが生じないように工夫が施されていて、図３に示されているように、上記支軸体９の可動ピン１０、１１を通る支軸体中心１５から操作凸部１３の先端までの寸法１６が、上記ヨロイ３の上下の横板部４のピン係止孔１２を通る中心１７から縦板部５までの寸法１８より大きく設けられている。
これによって、仮に左右のテンプル７を逆にして先端部６におけるテンプル内面側と縦板部５とを面しさせながら取り付けようとしても、上下のピン係止孔１２に可動ピン１０、１１が対応する前に操作凸部１３が縦板部５に当ることとなり、その状態でテンプル７がヨロイ３に連結されることがなく、左右を逆にした状態での取付間違いが確実に防止できる。
【００１３】
図４から図８にはヨロイ３にテンプル７の先端部６を着脱する際の操作性がより良好となるように工夫が施されている例を示している。この例においては先端部６からテンプル７の長さ方向に図示しない芯材が延設されていて、この芯材に化粧材を取り付けることでテンプル７が作成されている。
このテンプル７の先端部６において支軸体９を支軸体取付孔８に嵌め入れるとともに、支軸体９の操作凸部１３がガイド溝１４に位置して一方の可動ピン１０を没しさせることができ、テンプル７を開いたときに前記操作凸部１３がメガネの中心側に位置するようになる点は上記の実施の形態と同じである。そして、この図４から図８に示す例にあっては、まず、先端部６の上面からテンプル外方側となる外面にかかる上外側コーナー部１９が曲面に形成されているとともに、先端部６の下面からテンプル内方側となる内面にかかる下内側コーナー部２０も曲面に形成されている。
このように先端部６での上外側コーナー部１９と下内側コーナー部２０とが曲面としているため、ヨロイ３への取付に際して上下の横板部４に対する上外側コーナー部１９と下内側コーナー部２０との引っ掛かりを無くすことができる。即ち、図７と図８とに示すように、下の可動ピン１１の方を下の横板部４のピン係止孔１２に対応させるべく先端部６を傾斜した状態でヨロイ３の上下の横板部４の間に入れ、さらに下の可動ピン１１を下のピン係止孔１２に入れた状態で上の可動ピン１０を没しさせて先端部６を立て起こすことになるが、このような傾斜した状態の先端部６を立て起こす作業をするとき、曲面形状の上外側コーナー部１９と下内側コーナー部２０とが横板部４に接しても抵抗なく摺接できるようになり、よって、スムーズな取付作業となる。
また、支軸体９の下の可動ピン１１も上述されているように突没可能であるため、図７に示すように先端部６を下の横板部４に押し付けて可動ピン１１の没しにより縦方向の大きさが小さくなり、その先端部６を簡単に上下の横板部４の間に進み入れることができる。
【００１４】
さらに、この先端部６にあっては先端面からテンプル外方側の外面にかかる前外側コーナー部２１は支軸体周りの方向に曲がる曲面として形成されていて（図６）、テンプル７を支軸体中心で回動させるときに、ヨロイ３の縦板部５とのぶつかりでテンプル７の回動操作が損なわれるということが生じないように設けられているものである。
【００１５】
なお、図においてはメガネの一方のヨロイ側を示したが、他方のヨロイ側でも同一の構成を有するものである。
【図面の簡単な説明】
【００１６】
【図１】本発明に係るメガネのテンプル取付構造の一例を示す説明図である。
【図２】テンプルの先端部を示す説明図である。
【図３】支軸体の操作凸部の突出状態を示す説明図である。
【図４】他の例を示す説明図である。
【図５】他の例におけるテンプル取付状態を先端部側から見た状態で示す説明図である。
【図６】他の例における先端部を上方から見た状態で示す説明図である。
【図７】他の例におけるヨロイへの取付を示す説明図である。
【図８】同じく他の例におけるヨロイへの取付を示す説明図である。
【符号の説明】
【００１７】
１…メガネ
２…フロントフレーム
３…ヨロイ
４…横板部
５…縦板部
６…先端部
７…テンプル
８…支軸体取付孔
９…支軸体
１０、１１…可動ピン
１２…ピン係止孔
１３…操作凸部
１４…ガイド溝
１５…支軸体中心
１６…寸法
１７…ピン係止孔中心
１８…寸法
【図１】
2007212784.tif 000003
【図２】
2007212784.tif 000004
【図３】
2007212784.tif 000005
【図４】
2007212784.tif 000006
【図５】
2007212784.tif 000007
【図６】
2007212784.tif 000008
【図７】
2007212784.tif 000009
【図８】
2007212784.tif 000010